(57)【要約】【課題】既存のメタデータ情報を参照して新たなメタデータ情報を付加する場合に、付加される位置近傍の既存のメタデータに応じて、メタデータを容易に修正することができるメタデータ記録装置を提供する。【解決手段】新メタデータを構成する情報および映像データ中の新メタデータを付加する所定位置の位置情報を含む入力情報を受け付ける制御部２と、データ保存部に保存されている旧メタデータが付加された映像データに対して、所定位置の近傍の所定範囲に存在する旧メタデータを検索して、検出された旧メタデータを取り出す読込部３と、新メタデータを生成する新メタデータ生成部４と、旧メタデータと新メタデータとを比較し、旧メタデータに対して比較結果に応じた編集を施して記録メタデータを生成する記録メタデータ生成部５と、データ保存部１における映像データの所定位置に記録メタデータを記録する記録部６とを備える。【選択図】図１
2010015261.tif 000002
【特許請求の範囲】
【請求項１】
外部から新メタデータを構成する情報および映像データ中の前記新メタデータを付加する所定位置の位置情報を含む入力情報を受け付ける制御部と、
データ保存部に保存されている旧メタデータが付加された映像データに対して、前記所定位置の近傍の所定範囲に存在する前記旧メタデータを検索して、検出された前記旧メタデータを取り出す読込部と、
前記新メタデータを構成する情報に基づいて前記新メタデータを生成する新メタデータ生成部と、
前記旧メタデータと前記新メタデータとを比較し、前記旧メタデータに対して比較結果に応じた編集を施して記録メタデータを生成する記録メタデータ生成部と、
前記データ保存部における前記映像データの前記所定位置に前記記録メタデータを記録する記録部とを備えたメタデータ記録装置。
【請求項２】
前記記録メタデータ生成部は、前記旧メタデータと前記新メタデータとを比較し、前記旧メタデータ情報を編集し、
前記記録部が、前記編集された旧メタデータにより前記旧メタデータを書き換える請求項１記載のメタデータ記録装置。
【請求項３】
前記所定位置の近傍に、前記旧メタデータが複数付加されている場合に、前記記録メタデータ生成部は、前記複数の旧メタデータと前記新メタデータとを比較し、前記旧メタデータに対して比較結果に応じた編集を施して記録メタデータを生成する請求項１記載のメタデータ記録装置。
【請求項４】
外部から新メタデータを構成する情報および映像データ中の前記新メタデータを付加する所定位置の位置情報を含む入力情報を受け付ける制御部と、
データ保存部に保存されている旧メタデータが付加された映像データに対して、前記所定位置に前記旧メタデータが存在するか否かを検出し、前記旧メタデータが存在すれば、前記旧メタデータを取り出す読込部と、
前記新メタデータを構成する情報に基づいて新メタデータを生成する新メタデータ生成部と、
前記旧メタデータと前記新メタデータとを比較し、前記旧メタデータに対して比較結果に応じた編集を施して記録メタデータを生成する記録メタデータ生成部と、
前記データ保存部における前記旧メタデータ位置に前記記録メタデータを記録する記録部とを備えたメタデータ記録装置。
【請求項５】
外部から入力情報を受け付ける制御部と、
データ保存部に保存されている映像データに付加された旧メタデータを取り出す読込部と、
前記入力情報に基づいて新メタデータを生成する新メタデータ生成部と、
前記旧メタデータと前記新メタデータとから記録メタデータを生成する記録メタデータ生成部と、
前記データ保存部における前記映像データに前記記録メタデータを記録する記録部とを備えたメタデータ記録装置のメタデータの記録方法であって、
前記制御部が、外部から前記新メタデータを構成する情報および前記映像データ中の前記新メタデータを付加する所定位置の位置情報を含む前記入力情報を受け付けるステップと、
前記読込部が、前記所定位置の位置情報に基づき、前記映像データに対して前記所定位置の近傍の所定範囲に存在する旧メタデータを検索して、検出された前記旧メタデータを取り出すステップと、
前記新メタデータ生成部が、前記新メタデータを構成する情報に基づいて前記新メタデータを生成するステップと、
前記記録メタデータ生成部が、前記旧メタデータと前記新メタデータとを比較し、前記旧メタデータに対して比較結果に応じて編集して前記記録メタデータを生成するステップと、
前記記録部が、前記データ保存部における前記映像データの前記所定位置に対応させて前記記録メタデータを記録するステップとを備えたメタデータの記録方法。
【請求項６】
前記記録メタデータ生成部が、前記旧メタデータと前記新メタデータとを比較した後に、前記旧メタデータ情報を編集するステップと、
前記記録部が、前記編集された旧メタデータにより前記旧メタデータを書き換えるステップとを備えた請求項５記載のメタデータの記録方法。
【請求項７】
前記記録メタデータ生成部が、前記所定位置の近傍に、前記旧メタデータが複数付加されている場合に、前記複数の旧メタデータと前記新メタデータとを比較し、前記旧メタデータに対して比較結果に応じて編集して前記記録メタデータを生成するステップを備えた請求項５記載のメタデータの記録方法。
【請求項８】
外部から入力情報を受け付ける制御部と、
データ保存部に保存されている映像データに付加された旧メタデータを取り出す読込部と、
前記入力情報に基づいて新メタデータを生成する新メタデータ生成部と、
前記旧メタデータと前記新メタデータとから記録メタデータを生成する記録メタデータ生成部と、
前記データ保存部における前記映像データに前記記録メタデータを記録する記録部とを備えたメタデータ記録装置のメタデータの記録方法であって、
前記制御部が、外部から前記新メタデータを構成する情報および前記映像データ中の前記新メタデータを付加する所定位置の位置情報を含む前記入力情報を受け付けるステップと、
前記読込部が、前記所定位置の位置情報に基づき、前記映像データに対して前記所定位置に前記旧メタデータが存在するか否かを検出し、検出された前記旧メタデータを取り出すステップと、
前記新メタデータ生成部が、前記新メタデータを構成する情報に基づいて新メタデータを生成するステップと、
前記記録メタデータ生成部が、前記旧メタデータと前記新メタデータとを比較し、前記旧メタデータに対して比較結果に応じて編集して前記記録メタデータを生成するステップと、
前記記録部が、前記データ保存部における前記旧メタデータ位置に前記記録メタデータを記録するステップとを備えたメタデータの記録方法。
【発明の詳細な説明】
【技術分野】
【０００１】
本発明は、放送・業務用のカメラレコーダ等で撮影したＡＶコンテンツに対する編集装置、具体的には上記ＡＶコンテンツに対して付加情報（メタデータ）を付加する装置に関するものである。
【背景技術】
【０００２】
ビデオカメラなどで撮影されたＡＶコンテンツデータの所定の映像フレームに対して、映像フレームを検索可能にするためのメタデータ（ＩＮＤＥＸ情報）を付加可能に構成された記録再生装置が知られている。この記録再生装置において、すでに、メタデータが付加されている位置にさらにメタデータを付加する際には、新たに付加されるメタデータが単にすでに付加されたメタデータに上書きされる。
【０００３】
また、ＡＶコンテンツデータの所定の範囲を管理するためのメタデータがＡＶコンテンツデータに付加された記録再生装置（例えば、特許文献１参照）が提案されている。この記録再生装置は、所定の範囲のＡＶコンテンツデータが上書きされると、それに伴い、メタデータが対象とするＡＶコンテンツデータの開始位置または終了位置を編集するものである。この構成により、操作者がＡＶコンテンツデータの上書きによるメタデータの編集を行わなくて済む。
【特許文献１】特開２００７−６１６７号公報
【発明の開示】
【発明が解決しようとする課題】
【０００４】
しかしながら、上記映像フレームに対してメタデータ情報を付加可能に構成された記録再生装置では、既存のメタデータ情報を参照して新たなメタデータ情報を付加する場合に、操作者は、近傍のメタデータ情報の内容を確認し、それに応じて新たなメタデータ情報を編集する作業が必要であり、メタデータの編集作業に時間が掛かる。
【０００５】
また、特許文献１に記載のＡＶコンテンツデータの上書きに応じてメタデータを編集する記録再生装置においても、既存のメタデータ情報を参照して新たなメタデータ情報を付加する場合には、操作者は、近傍のメタデータ情報の内容を確認し、新たなメタデータ情報を編集する必要がある。
【０００６】
本発明は、上記従来の問題を解決するために、既存のメタデータ情報を参照して新たなメタデータ情報を編集して映像フレームに付加する場合に、付加される位置近傍の既存のメタデータに応じて、メタデータを容易に編集することができるメタデータ記録装置を提供することを目的とする。
【課題を解決するための手段】
【０００７】
本発明の第１のメタデータ記録装置は、上記課題を解決するために、外部から新メタデータを構成する情報および映像データ中の前記新メタデータを付加する所定位置の位置情報を含む入力情報を受け付ける制御部と、データ保存部に保存されている旧メタデータが付加された映像データに対して、前記所定位置の近傍の所定範囲に存在する前記旧メタデータを検索して、検出された前記旧メタデータを取り出す読込部と、前記新メタデータを構成する情報に基づいて前記新メタデータを生成する新メタデータ生成部と、前記旧メタデータと前記新メタデータとを比較し、前記旧メタデータに対して比較結果に応じた編集を施して記録メタデータを生成する記録メタデータ生成部と、前記データ保存部における前記映像データの前記所定位置に前記記録メタデータを記録する記録部とを備えたことを特徴とする。
【０００８】
また、本発明の第２のメタデータ記録装置は、上記課題を解決するために、外部から新メタデータを構成する情報および映像データ中の前記新メタデータを付加する所定位置の位置情報を含む入力情報を受け付ける制御部と、データ保存部に保存されている旧メタデータが付加された映像データに対して、前記所定位置に前記旧メタデータが存在するか否かを検出し、前記旧メタデータが存在すれば、前記旧メタデータを取り出す読込部と、前記新メタデータを構成する情報に基づいて新メタデータを生成する新メタデータ生成部と、前記旧メタデータと前記新メタデータとを比較し、前記旧メタデータに対して比較結果に応じた編集を施して記録メタデータを生成する記録メタデータ生成部と、前記データ保存部における前記旧メタデータ位置に前記記録メタデータを記録する記録部とを備えたことを特徴とする。
【０００９】
また、本発明の第１のメタデータの記録方法は、上記課題を解決するために、外部から入力情報を受け付ける制御部と、データ保存部に保存されている映像データに付加された旧メタデータを取り出す読込部と、前記入力情報に基づいて新メタデータを生成する新メタデータ生成部と、前記旧メタデータと前記新メタデータとから記録メタデータを生成する記録メタデータ生成部と、前記データ保存部における前記映像データに前記記録メタデータを記録する記録部とを備えたメタデータ記録装置のメタデータの記録方法であって、前記制御部が、外部から前記新メタデータを構成する情報および前記映像データ中の前記新メタデータを付加する所定位置の位置情報を含む前記入力情報を受け付けるステップと、前記読込部が、前記所定位置の位置情報に基づき、前記映像データに対して前記所定位置の近傍の所定範囲に存在する旧メタデータを検索して、検出された前記旧メタデータを取り出すステップと、前記新メタデータ生成部が、前記新メタデータを構成する情報に基づいて前記新メタデータを生成するステップと、前記記録メタデータ生成部が、前記旧メタデータと前記新メタデータとを比較し、前記旧メタデータに対して比較結果に応じて編集して前記記録メタデータを生成するステップと、前記記録部が、前記データ保存部における前記映像データの前記所定位置に対応させて前記記録メタデータを記録するステップとを備えたことを特徴とする。
【００１０】
また、本発明の第２のメタデータの記録方法は、上記課題を解決するために、外部から入力情報を受け付ける制御部と、データ保存部に保存されている映像データに付加された旧メタデータを取り出す読込部と、前記入力情報に基づいて新メタデータを生成する新メタデータ生成部と、前記旧メタデータと前記新メタデータとから記録メタデータを生成する記録メタデータ生成部と、前記データ保存部における前記映像データに前記記録メタデータを記録する記録部とを備えたメタデータ記録装置のメタデータの記録方法であって、前記制御部が、外部から前記新メタデータを構成する情報および前記映像データ中の前記新メタデータを付加する所定位置の位置情報を含む前記入力情報を受け付けるステップと、前記読込部が、前記所定位置の位置情報に基づき、前記映像データに対して前記所定位置に前記旧メタデータが存在するか否かを検出し、検出された前記旧メタデータを取り出すステップと、前記新メタデータ生成部が、前記新メタデータを構成する情報に基づいて新メタデータを生成するステップと、前記記録メタデータ生成部が、前記旧メタデータと前記新メタデータとを比較し、前記旧メタデータに対して比較結果に応じて編集して前記記録メタデータを生成するステップと、前記記録部が、前記データ保存部における前記旧メタデータ位置に前記記録メタデータを記録するステップとを備えたことを特徴とする。
【発明の効果】
【００１１】
本発明によれば、既存のメタデータ情報を参照して新たなメタデータ情報を編集して映像フレームに付加する場合に、付加される位置近傍の既存のメタデータに応じて、メタデータを容易に編集することができるため、メタデータの編集効率を向上させることができる。
【発明を実施するための最良の形態】
【００１２】
本発明のメタデータ記録装置およびメタデータの記録方法は、上記構成を基本として以下のような種々の態様をとることができる。
【００１３】
すなわち、上記構成の第１のメタデータ記録装置において、前記記録メタデータ生成部は、前記旧メタデータと前記新メタデータとを比較し、前記旧メタデータ情報を編集し、前記記録部が、前記編集された旧メタデータにより前記旧メタデータを書き換える構成にすることができる。
【００１４】
また、前記所定位置の近傍に、前記旧メタデータが複数付加されている場合に、前記記録メタデータ生成部は、前記複数の旧メタデータと前記新メタデータとを比較し、前記旧メタデータに対して比較結果に応じた編集を施して記録メタデータを生成する構成にすることができる。
【００１５】
また、上記第１のメタデータの記録方法において、前記記録メタデータ生成部が、前記旧メタデータと前記新メタデータとを比較した後に、前記旧メタデータ情報を編集するステップと、前記記録部が、前記編集された旧メタデータにより前記旧メタデータを書き換えるステップとを備えてもよい。
【００１６】
また、前記記録メタデータ生成部が、前記所定位置の近傍に、前記旧メタデータが複数付加されている場合に、前記複数の旧メタデータと前記新メタデータとを比較し、前記旧メタデータに対して比較結果に応じて編集して前記記録メタデータを生成するステップを備えてもよい。
【００１７】
（実施の形態１）
本発明の実施の形態１に係るメタデータ記録装置は、放送・業務用のカメラレコーダ等で撮影したＡＶコンテンツに対する編集作業を支援する装置である。例えば、スポーツ中継において、試合終了後（または試合中の空き時間）にハイライトシーンを流すなど、早急に編集作業を行う場合に有用である。なお、以下の記載では、本発明に係るメタデータ記録装置において、映像フレームに付加されたメタデータをＩＮＤＥＸ情報と呼ぶ。
【００１８】
例えば、野球の中継を行う上で、試合終了後（または試合中の空き時間）に、ホームランのシーンのみを集めたハイライトシーンを流すことを想定する。編集を容易にするために、野球の試合の中継（カメラで収録）中において、選手がホームランを打った場合、ＩＮＤＥＸ情報をリアルタイムにコンテンツに付加しておく。当然のことであるが、ホームランを打つ前からリアルタイムにＩＮＤＥＸ情報を付加することはできないため、ホームランを打った後の映像フレーム位置にＩＮＤＥＸ情報を付加することになる。
【００１９】
ハイライトシーン作成の過程においては、操作者は、既存のＩＮＤＥＸ情報に基づき、ホームランのシーン近傍の映像フレーム位置を検出し、検出されたフレーム近傍の映像を確認して、ホームランを打つ直前の映像フレームに対して、新たなＩＮＤＥＸ情報を付加する。この時、本実施の形態では、既存のＩＮＤＥＸ情報（旧ＩＮＤＥＸ情報）を、追加される新たなＩＮＤＥＸ情報（新ＩＮＤＥＸ情報）に基づいて修正して、記録ＩＮＤＥＸを作成する。作成された記録ＩＮＤＥＸ情報を所定の映像フレームに付加することにより、ＩＮＤＥＸ情報を容易に置き換えることが可能である。さらに、旧ＩＮＤＥＸ情報に対して、修正する。
【００２０】
以上のように、メタデータを付加する際に、付加されるメタデータと、付加されるメタデータの近傍に位置する既存のメタデータとを比較して、比較の結果に応じて既存のメタデータを編集するため、メタデータの修正を容易に行うことができる。このため、再編集処理を行うことにより、ハイライト等で映像データの頭出しに使用したい映像フレームに対して、適切なＩＮＤＥＸ情報を容易に付加することが可能となる。
【００２１】
以下、本実施の形態に係るメタデータ記録装置について詳細に説明する。図１は、本実施の形態に係るメタデータ記録装置の構成を示すブロック図である。データ保存部１は、磁気ディスク、ハードディスクあるいは半導体メモリで構成され、メタデータ記録装置から取り外し可能に形成されていてもよい。なお、データ保存部１は、メタデータ記録装置の必須の構成要素ではない。
【００２２】
データ保存部１は、撮影装置（図示せず）に取り付けられて、多数のフレームで構成されたＡＶコンテンツが保存される。図２は、ＡＶコンテンツの構成を示す図である。このＡＶコンテンツは、フレーム１１とＩＮＤＥＸ情報１２が連続して配置された構成を有する。フレーム１１は、映像データの１フレームの映像情報である。ＩＮＤＥＸ情報１２は、フレーム１１に付加されたメタデータのことである。
【００２３】
ＩＮＤＥＸ情報１２に含まれる具体的な情報としては、例えばＴｙｐｅ、Ｐｅｒｓｏｎ、Ｄａｔｅ、Ｐｌａｃｅ、Ｄａｔａのような情報がある。Ｔｙｐｅは、例えばホームラン、三振のようにＩＮＤＥＸ情報１２を付けた対象を示す情報である。また、Ｐｅｒｓｏｎは、例えばカメラマン、編集者のようにＩＮＤＥＸ情報１２を付加した人の名前を示す情報である。Ｄａｔｅは、編集され、ＩＮＤＥＸ情報１２が付加された日付を示す情報である。Ｐｌａｃｅは、例えば野球場名、編集施設名のようにＩＮＤＥＸ情報１２が付加された場所を示す情報である。Ｄａｔａは、特記すべき事項を示す情報である。
【００２４】
図１において、制御部２は、ＡＶコンテンツの所定フレームに対してＩＮＤＥＸ情報を付加するように、操作者からの指示を入力可能に構成されている。制御部２は、操作者からの指示に基づいて、読込部３に、ＩＮＤＥＸ情報が付加される所定フレームの位置情報を供給する。また、制御部２は、新ＩＮＤＥＸ生成部４に対してＩＮＤＥＸ情報を生成するための情報を供給する。
【００２５】
読込部３は、データ保存部１からＡＶコンテンツの所定フレームの近傍に存在する旧ＩＮＤＥＸ情報を検索し、検出した旧ＩＮＤＥＸ情報を記録ＩＮＤＥＸ生成部５に供給する。読込部３が検索する所定フレームの近傍の範囲は、機器側で所定のフレーム数に固定されていても、制御部２から指定可能であってもよい。なお、所定フレームの近傍に旧ＩＮＤＥＸ情報が２つ以上ある場合は、最も近接した位置に記録された旧ＩＮＤＥＸ情報を検出する。
【００２６】
新ＩＮＤＥＸ生成部４は、制御部２から入力された指示に基づいて、新ＩＮＤＥＸ情報を生成する。記録ＩＮＤＥＸ生成部５は、読込部３からの旧ＩＮＤＥＸ情報と、新ＩＮＤＥＸ生成部４により生成された新ＩＮＤＥＸ情報とを比較し、比較した結果に基づいて旧ＩＮＤＥＸ情報に所定の編集を行い、記録ＩＮＤＥＸ情報を生成する。ＩＮＤＥＸ情報を編集するための処理としては、例えば上書き、マージ、新規追加がある。記録ＩＮＤＥＸ生成部５が実行する処理の詳細は後述する。
【００２７】
記録部６は、記録ＩＮＤＥＸ生成部５から供給される記録ＩＮＤＥＸ情報を、データ保存部１に保存されたＡＶコンテンツの所定フレーム１１に連続した位置に記録する。あるいは、記録部６は、記録ＩＮＤＥＸ情報を旧ＩＮＤＥＸ情報が保存された位置に上書きしてもよい。あるいは、記録部６は、旧ＩＮＤＥＸ情報が保存された位置と所定フレーム１１に連続した位置との中間に記録ＩＮＤＥＸ情報を記録してもよい。また、記録部６は、記録ＩＮＤＥＸ情報を記録する際に、不要となる旧ＩＮＤＥＸ情報を削除してもよい。
【００２８】
図３は、記録ＩＮＤＥＸ生成部５が実行する処理を示す図である。記録ＩＮＤＥＸ生成部５では、旧ＩＮＤＥＸ情報に対して、上書き、マージ、新規追加の３つの処理いずれかが行われる。図３は、ＡＶコンテンツ２１の旧ＩＮＤＥＸ情報２２の近傍フレームのＩＮＤＥＸ情報に新ＩＮＤＥＸ情報２３が付加される状態を示している。記録ＩＮＤＥＸ２４〜２６は、旧ＩＮＤＥＸ情報が記録ＩＮＤＥＸ生成部５により処理（上書き、マージ、新規追加）されて生成されたＩＮＤＥＸ情報である。
【００２９】
旧ＩＮＤＥＸ情報２２には、例えば、Ｔｙｐｅとして“Ｔｙｐｅ１”、Ｐｅｒｓｏｎとして“Ｔａｒｏ  Ｙａｍａｄａ”、Ｄａｔｅとして“２００１．０１．０１”、Ｐｌａｃｅとして“ＡＡＡ  Ｓｔｕｄｉｏ”、Ｄａｔａとして“Ｄａｔａ１”が記録されている。また、新ＩＮＤＥＸ情報２３には、Ｔｙｐｅとして“Ｔｙｐｅ１”、Ｐｅｒｓｏｎとして“Ｔａｒｏ  Ｙａｍａｄａ”、Ｄａｔｅとして“２００１．０２．１５”、Ｐｌａｃｅとして“ＢＢＢ  Ｓｔｕｄｉｏ”、Ｄａｔａとして“Ｄａｔａ２”が記録されている。
【００３０】
記録ＩＮＤＥＸ生成部５の処理における上書きとは、旧ＩＮＤＥＸ情報の内容を新ＩＮＤＥＸ情報の内容に完全に置き換えた記録ＩＮＤＥＸ情報２４を生成することである。すなわち、旧ＩＮＤＥＸ情報の内容は、最終的には、完全に消去されることになる。
【００３１】
マージとは、旧ＩＮＤＥＸ情報と、新ＩＮＤＥＸ情報とを比較し、共通の内容はそのまま維持し、異なる情報に対しては、それらの情報を併記した記録ＩＮＤＥＸ情報を生成することである。具体的には、例えば、旧ＩＮＤＥＸ情報２２のＤａｔｅと、新ＩＮＤＥＸ情報２３のＤａｔｅとが異なる場合、記録ＩＮＤＥＸ生成部５は、マージ後の記録ＩＮＤＥＸ情報２５のＤａｔｅに、旧ＩＮＤＥＸ情報２２のＤａｔｅ（２００１．０１．０１）と、新ＩＮＤＥＸ情報２３のＤａｔｅ（２００１．０２．１５）の両方を記載する。
【００３２】
また、同様に旧ＩＮＤＥＸ情報２２のＰｌａｃｅと、新ＩＮＤＥＸ情報２３のＰｌａｃｅとが異なる場合、記録ＩＮＤＥＸ生成部５は、マージ後の記録ＩＮＤＥＸ情報２５のＰｌａｃｅに、旧ＩＮＤＥＸ情報２２のＰｌａｃｅ（ＡＡＡ  Ｓｔｕｄｉｏ）と、新ＩＮＤＥＸ情報２３のＰｌａｃｅ（ＢＢＢ  Ｓｔｕｄｉｏ）の両方を記載する。
【００３３】
また、同様に旧ＩＮＤＥＸ情報２２のＤａｔａと、新ＩＮＤＥＸ情報２３のＤａｔａとが異なる場合、記録ＩＮＤＥＸ生成部５は、マージ後の記録ＩＮＤＥＸ情報２５のＤａｔａに、旧ＩＮＤＥＸ情報２２のＤａｔａ（Ｄａｔａ１）と、新ＩＮＤＥＸ情報２３のＤａｔａ（Ｄａｔａ２）の両方を記載する。
【００３４】
記録ＩＮＤＥＸ生成部５の処理における新規追加とは、旧ＩＮＤＥＸ情報とは別に新ＩＮＤＥＸ情報に基づき記録ＩＮＤＥＸ情報２６として生成することである。
【００３５】
次に、本実施の形態に係るメタデータ記録装置の動作について説明する。図４は、本実施の形態に係るメタデータ記録装置の動作を示す流れ図である。まず、操作者により、制御部２に新ＩＮＤＥＸ情報を付加するように指令が入力される（ステップＳ１０１）。制御部２は、新ＩＮＤＥＸ情報を付加する映像フレームの位置情報を読込部３に供給する。読込部３は、映像フレームの位置情報に基づいて、データ保存部１において、所定の映像フレームの位置近傍のＩＮＤＥＸ情報を検索する（ステップＳ１０２）。次に、読込部３は、検出した旧ＩＮＤＥＸ情報を取り出す（ステップＳ１０３）。次に、読込部３は、取り出したＩＮＤＥＸ情報を記録ＩＮＤＥＸ生成部５に供給する。
【００３６】
また、制御部２は、新ＩＮＤＥＸ情報を形成する情報を新ＩＮＤＥＸ生成部４に入力する。新ＩＮＤＥＸ生成部４は、制御部２からの情報に基づいて新ＩＮＤＥＸ情報を生成する（ステップＳ１０４）。新ＩＮＤＥＸ生成部４は、新ＩＮＤＥＸ情報を記録ＩＮＤＥＸ生成部５に入力する。
【００３７】
次に、記録ＩＮＤＥＸ生成部５は、映像フレームの保存位置近傍の旧ＩＮＤＥＸ情報と、新ＩＮＤＥＸ情報とを比較し、比較した結果に応じて旧ＩＮＤＥＸ情報を処理して記録ＩＮＤＥＸ情報を生成する（ステップＳ１０５）。具体的には、記録ＩＮＤＥＸ生成部５は、例えば新ＩＮＤＥＸ情報のＴｙｐｅと旧ＩＮＤＥＸ情報のＴｙｐｅとを比較し、同じ場合には、処理としてマージを行う。一方、新ＩＮＤＥＸ情報のＴｙｐｅと旧ＩＮＤＥＸ情報のＴｙｐｅとが異なる場合には、処理として上書きを行う。
【００３８】
記録ＩＮＤＥＸ生成部５により生成された記録ＩＮＤＥＸ情報は、記録部６に入力される。記録部６は、記録ＩＮＤＥＸ情報をデータ保存部１のＡＶコンテンツの所定位置に記録する（ステップＳ１０６）。
【００３９】
以上のように、本実施の形態に係るメタデータ記録装置は、メタデータを付加する際に、付加されるメタデータと、付加されるメタデータの近傍に位置する既存のメタデータとを比較して、比較の結果に応じてメタデータを編集するため、メタデータの修正を容易に行うことができる。
【００４０】
なお、記録ＩＮＤＥＸ生成部５の具体的な制御処理について記載したが、上述する手法に限定されず、特定の条件下で所定の処理を行うことができれば、その手段は問わない。
【００４１】
また、本実施の形態において、旧メタデータも記録メタデータとして、旧メタデータの位置に、修正されて書き換えられる構成にすることもできる。
【００４２】
また、ＩＮＤＥＸ情報内の具体的な情報としては、上述したデータ（Ｔｙｐｅ、Ｐｅｒｓｏｎ等）に限定されず、ＩＮＤＥＸ情報には任意の情報が格納されていてもよい。また、ＩＮＤＥＸ情報は、必ずしもＡＶコンテンツ上に記録されている構成に限定されず、別のファイル（例えば、管理情報ファイル）に保存されていてもよい。
【００４３】
また、本実施の形態では処理の種類として、上書き、マージ、新規追加を例に挙げたがこれに限定されず、その他の任意の処理を行えるようにしてもよい。
【００４４】
また、読込部３が検査する所定フレーム位置近傍の範囲は、所定フレームに対して時間的に前後の領域に設定することもできるし、前の領域のみまたは、後の領域のみに設定することもできる。例えば、野球の三振シーンにおいては、三振を確認した後に旧ＩＮＤＥＸ情報が付けられるので、新ＩＮＤＥＸ情報から見ると対象とする旧ＩＮＤＥＸ情報は時間的に後になる。この場合には、近傍領域を後の領域のみに設定する。この構成により、１つ前の三振シーンのＩＮＤＥＸ情報を編集することを防ぐことができる。
【００４５】
また、旧ＩＮＤＥＸ情報の内容により読込部３が検査する所定フレーム位置近傍の範囲を変える構成にすることもできる。例えば、Ｔｙｐｅがホームランか三振かで近傍の範囲を変える構成にしてもよい。三振のシーン（投手が投げるシーン）から操作者が三振と認識してＩＮＤＥＸ情報を付けるまでの時間が、ホームランのシーンの場合よりも短い。このため、Ｔｙｐｅが三振の場合、Ｔｙｐｅがホームランの場合より近傍領域を短くすることができる。この構成により、三振が連続した場合に、ＩＮＤＥＸ情報を付ける際に、所望の三振シーンの前の三振シーンのＩＮＤＥＸ情報を編集することを防ぐことができる。
【００４６】
また、近傍領域を極限まで狭め、新ＩＮＤＥＸ情報が旧ＩＮＤＥＸ情報が記録された位置と同じ位置に付加される場合のみ上記処理を行い、異なる位置に付加される場合には、そのまま付加（新規追加）する構成にすることもできる。記録ＩＮＤＥＸ情報と旧ＩＮＤＥＸ情報が同じ位置に記録される場合に、記録ＩＮＤＥＸ生成部が実行する新規追加の処理は、互いに独立した記録ＩＮＤＥＸ情報と旧ＩＮＤＥＸ情報とを同一の映像フレームに付加する記録ＩＮＤＥＸ情報を生成することである。
【００４７】
また、本実施の形態に係るメタデータ記録装置において、Ｔｙｐｅを比較することにより、行う処理を決定したが、例えばＰｅｒｓｏｎ、Ｄａｔａを比較の対象として、処理を決定する構成にすることもできる。
【００４８】
（実施の形態２）
図５は、本発明の実施の形態２に係るメタデータ記録装置の記録ＩＮＤＥＸ生成部が実行する処理を示す図である。本実施の形態におけるメタデータ記録装置の構成は、実施の形態１に係るメタデータ記録装置の構成と同様であり、したがって、図１も参照しながら説明する。本実施の形態におけるメタデータ記録装置は、実施の形態１に係るメタデータ記録装置とその動作が異なる。
【００４９】
記録ＩＮＤＥＸ生成部５は、読込部３が検出した旧ＩＮＤＥＸ情報と新ＩＮＤＥＸ生成部４が出力した新ＩＮＤＥＸ情報とを比較して、関連があるＩＮＤＥＸ情報の場合と、関連がないＩＮＤＥＸ情報の場合とで異なる処理（例えば、上書き、マージ、新規追加）を行う。関連があるＩＮＤＥＸ情報とは、全く同じＩＮＤＥＸ情報だけでなく、異なるＩＮＤＥＸ情報、野球の例では、ＩＮＤＥＸ情報のＴｙｐｅとしてホームランとタイムリーヒットのような得点シーンという関連を持つものも含まれる。
【００５０】
図５に示すように、記録ＩＮＤＥＸ生成部５は、新ＩＮＤＥＸ情報３３が付加される際に、第１旧ＩＮＤＥＸ情報３２、新ＩＮＤＥＸ情報３３および第２旧ＩＮＤＥＸ情報３４を比較して、上書き、マージ、新規追加の処理をして、記録ＩＮＤＥＸ情報３５〜３７を生成する。以下、ＡＶコンテンツ３１の映像フレームの所定位置に新ＩＮＤＥＸ情報３３を付加する場合に、新ＩＮＤＥＸ情報３３を付加するフレームの位置近傍に、第１旧ＩＮＤＥＸ情報３２と、第２旧ＩＮＤＥＸ情報３４とが付加されている場合を例に本実施の形態に係るメタデータ記録装置の動作を説明する。
【００５１】
記録ＩＮＤＥＸ生成部５は、第１旧ＩＮＤＥＸ情報３２のＴｙｐｅ（Ｔｙｐｅ１）と、新ＩＮＤＥＸ情報３３のＴｙｐｅ（Ｔｙｐｅ１）とを比較し、それぞれのＴｙｐｅに関連があれば、第１旧ＩＮＤＥＸ情報３２に新ＩＮＤＥＸ情報３３をマージして記録ＩＮＤＥＸ情報３６を生成する。
【００５２】
また、記録ＩＮＤＥＸ生成部５は、第１旧ＩＮＤＥＸ情報３２のＴｙｐｅと、新ＩＮＤＥＸ情報３３のＴｙｐｅとが関連がない場合に、第２旧ＩＮＤＥＸ情報３４のＴｙｐｅと、新ＩＮＤＥＸ情報３３のＴｙｐｅとを比較し、それぞれのＴｙｐｅが関連していれば、第２旧ＩＮＤＥＸ情報３４に新ＩＮＤＥＸ情報３３をマージして記録ＩＮＤＥＸ情報３６を生成する。
【００５３】
さらに、第１旧ＩＮＤＥＸ情報３２のＴｙｐｅ、第２旧ＩＮＤＥＸ情報３４のＴｙｐｅ、および新ＩＮＤＥＸ情報３３のＴｙｐｅ全てに関連がある場合には、第１旧ＩＮＤＥＸ情報３２、第２旧ＩＮＤＥＸ情報３４、および新ＩＮＤＥＸ情報３３の３つのＩＮＤＥＸ情報をマージした記録ＩＮＤＥＸ情報３６を生成する。
【００５４】
なお、記録部６が記録ＩＮＤＥＸ情報を付加する映像フレーム位置は、第１旧ＩＮＤＥＸ情報３２が記録されていた位置としてもよいし、第２旧ＩＮＤＥＸ情報３４が記録されていた位置でもよい。あるいは、新ＩＮＤＥＸ情報３３が記録されるべき所定フレームに連続した位置としてもよい。または、第１旧ＩＮＤＥＸ情報３２、第２旧ＩＮＤＥＸ情報３４、および新ＩＮＤＥＸ情報３３のそれぞれの映像フレーム位置の中間点（あるいは各映像フレーム位置の間の任意のフレーム位置）とすることもできる。
【００５５】
一方、第１旧ＩＮＤＥＸ情報３２のＴｙｐｅ、第２旧ＩＮＤＥＸ情報３４のＴｙｐｅ、および新ＩＮＤＥＸ情報３３のＴｙｐｅ全てに関連がない場合、記録ＩＮＤＥＸ生成部５は、新ＩＮＤＥＸ情報３３を第１旧ＩＮＤＥＸ情報３２または第２旧ＩＮＤＥＸ情報３４に上書した記録ＩＮＤＥＸ情報３５を生成する。この時、記録ＩＮＤＥＸ生成部５は、第１旧ＩＮＤＥＸ情報３２および第２旧ＩＮＤＥＸ情報３４の両ＩＮＤＥＸ情報に対して上書きをした記録ＩＮＤＥＸ情報３５を生成してもよい。
【００５６】
なお、新ＩＮＤＥＸ情報３３を付加するフレームの位置近傍に、第１旧ＩＮＤＥＸ情報３２のみが付加されている場合に、記録ＩＮＤＥＸ生成部５は、新ＩＮＤＥＸ情報３３と第１旧ＩＮＤＥＸ情報３２とが関連していれば、第１旧ＩＮＤＥＸ情報３２に新ＩＮＤＥＸ情報３３をマージした記録ＩＮＤＥＸ情報３６を生成する。新ＩＮＤＥＸ情報３３と第１旧ＩＮＤＥＸ情報３２とが関連していなければ、記録ＩＮＤＥＸ生成部５は、第１旧ＩＮＤＥＸ情報３２上に新ＩＮＤＥＸ情報３３を上書きした記録ＩＮＤＥＸ情報３５を生成する。
【００５７】
また、新ＩＮＤＥＸ情報３３を付加するフレームの位置近傍に旧ＩＮＤＥＸ情報がない場合には、新ＩＮＤＥＸ情報３３を新規追加した記録ＩＮＤＥＸ情報３７を生成する。
【００５８】
以上のように、本実施の形態に係るメタデータ記録装置は、新ＩＮＤＥＸ情報を付加するフレームの位置近傍に旧ＩＮＤＥＸ情報が付加されている場合に、新ＩＮＤＥＸ情報と旧ＩＮＤＥＸ情報の関連の有無により、記録ＩＮＤＥＸ生成部５が異なる処理をする。この構成により、新ＩＮＤＥＸ情報を付加するフレームの位置近傍に旧ＩＮＤＥＸ情報が複数付加されている場合にもＩＮＤＥＸ情報を適切に編集を行うことができる。
【００５９】
また、別の制御方法として、記録ＩＮＤＥＸ生成部５は、第１旧ＩＮＤＥＸ情報３２のＰｅｒｓｏｎと新ＩＮＤＥＸ情報３３のＰｅｒｓｏｎとを比較し、それぞれのＰｅｒｓｏｎが関連していれば、第１旧ＩＮＤＥＸ情報３２と新ＩＮＤＥＸ情報３３とをマージした記録ＩＮＤＥＸ情報３６を生成する。それぞれのＰｅｒｓｏｎが関連していなければ、記録ＩＮＤＥＸ生成部５は、新ＩＮＤＥＸ情報３３を新規追加した記録ＩＮＤＥＸ情報３７を生成する。
【００６０】
さらに、第２旧ＩＮＤＥＸ情報３４のＰｅｒｓｏｎと、新ＩＮＤＥＸ情報３３のＰｅｒｓｏｎとを比較し、それぞれのＰｅｒｓｏｎが関連していれば、第２旧ＩＮＤＥＸ情報３４と新ＩＮＤＥＸ情報３３とをマージした記録ＩＮＤＥＸ情報３６を生成する。それぞれのＰｅｒｓｏｎが関連していなければ、記録ＩＮＤＥＸ生成部５は、第２旧ＩＮＤＥＸ情報３４と新ＩＮＤＥＸ情報３３とを新規追加した記録ＩＮＤＥＸ情報３７を生成する。新規追加を行う際、第１旧ＩＮＤＥＸ情報３２、第２旧ＩＮＤＥＸ情報３４、および新ＩＮＤＥＸ情報３３は、それぞれ別の映像フレーム位置に付加される。
【００６１】
また、ＤａｔｅおよびＰｌａｃｅにおいても上述した制御と同様にして、上書き、マージ、新規追加のような各種処理を行う構成にすることができる。
【００６２】
なお、実施の形態１および２において、フレームでなくても、ＧＯＰ（Ｇｒｏｕｐ  Ｏｆ  Ｐｉｃｔｕｒｅｓ）単位で、ＩＮＤＥＸ情報が付加される構成であってもよい。
【産業上の利用可能性】
【００６３】
本発明のメタデータ記録装置は、メタデータの編集を容易にするものであり放送・業務用のカメラレコーダで撮影したＡＶコンテンツに対する編集作業を支援する装置として用いられる。
【図面の簡単な説明】
【００６４】
【図１】本発明の実施の形態１に係るメタデータ記録装置の構成を示すブロック図
【図２】ＡＶコンテンツの構成を示す図
【図３】実施の形態１に係るメタデータ記録装置の記録ＩＮＤＥＸ生成部が実行する処理を示す図
【図４】実施の形態１に係るメタデータ記録装置の動作を示す流れ図
【図５】本発明の実施の形態２に係るメタデータ記録装置の記録ＩＮＤＥＸ生成部が実行する処理を示す図
【符号の説明】
【００６５】
１  データ保存部
２  制御部
３  読込部
４  新ＩＮＤＥＸ生成部
５  記録ＩＮＤＥＸ生成部
６  記録部
１１  フレームデータ
１２  ＩＮＤＥＸ情報
２１、３１  ＡＶコンテンツ
２２  旧ＩＮＤＥＸ情報
２３、３３  新ＩＮＤＥＸ情報
２４〜２６、３５〜３７  記録ＩＮＤＥＸ情報
３２  第１旧ＩＮＤＥＸ情報
３４  第２旧ＩＮＤＥＸ情報
【図１】
2010015261.tif 000003
【図２】
2010015261.tif 000004
【図３】
2010015261.tif 000005
【図４】
2010015261.tif 000006
【図５】
2010015261.tif 000007